(57)【特許請求の範囲】
【請求項１】
本体部には、
長尺柄と、
前記長尺柄の後端に設けられた操作ハンドルと、
前記長尺柄の前方付近に設けられ、弾性手段により本体部内部に押し込み可能なストッパと、
前記操作ハンドルと連設してなる操作ワイヤと、
を有し、
アタッチメントには、
アタッチメント柄に連設された機能部と、
前記アタッチメント柄に形成された、前記ストッパが嵌まる係合孔と、
前記機能部に形成された、前記操作ワイヤ先端を係止する係止部と、
を有し、
前記操作ワイヤ先端と、前記係止部が着脱可能であり、
前記長尺柄は、複数の分割された短尺柄からなることにより折り畳みが可能であり、
該短尺柄の後端の直径は、該短尺柄の先端の直径より大きいことを特徴とするアタッチメント式高枝切鋏。
【発明の詳細な説明】
【技術分野】
【０００１】
本発明は、アタッチメント式高枝切鋏に関するもので、特に、アタッチメント柄に形成された係合孔に、本体部のストッパが嵌まり、本体部の操作ワイヤ先端と、アタッチメントの係止部を着脱可能にしたアタッチメント式高枝切鋏に関するものである。
【背景技術】
【０００２】
従来、高枝切鋏は、植物の枝等を切る目的として使用されている。枝が太く鋏では切ることができない時には、高枝切鋏の先端を鋸に変えることで枝を切ることができる（特許文献１）。
【０００３】
特許文献１の高枝切鋏は、鋸使用時においては、首振り可能な鋏を採用することにより、単一の器具にて、枝径あるいは、枝の伸びる方向の如何に拘らず剪定作業が可能な格好の首振り機構のついた高枝切鋏である。
【先行技術文献】
【特許文献】
【０００４】
【特許文献１】特開平８−２３７７９号公報
【発明の概要】
【発明が解決しようとする課題】
【０００５】
しかし、従来の高枝切鋏は、その先端が刃であることから、物を保持することには適していない。例えば、切り終わった枝が木の高所に引っ掛かっている場合には、別途マジックハンドなど長尺状で物を保持できる器具を使う必要があった。
そのような場合には、高枝切鋏とは別にマジックハンドを別途購入するため、その費用や保管場所が必要となった。
また、高枝切鋏の鋏部が劣化、破損した場合は、その他の部材に問題がなくても全て交換する必要があった。それにより、交換する必要のない部材までも交換しなければならず、経済的損失が生じていた。
さらに、特許文献１に示すような従来の方式では、各部材をネジで固定しているために、アタッチメント交換の際には、工具が必要となり簡単にアタッチメントを交換することができない。また、交換の際に、アタッチメントと本体が安定していないと誤ってアタッチメントを落下させる場合等もあり、交換作業には危険が伴うものであった。
本発明に係るアタッチメント式高枝切鋏はこれらの課題を解決するものである。
【課題を解決するための手段】
【０００６】
本発明に係るアタッチメント式高枝切鋏は、本体部には、長尺柄と、長尺柄の後端に設けられた操作ハンドルと、長尺柄の前方付近に設けられ、弾性手段により本体部内部に押し込み可能なストッパと、操作ハンドルと連設してなる操作ワイヤと、を有し、
アタッチメントには、アタッチメント柄に連設された機能部と、アタッチメント柄に形成された、ストッパが嵌まる係合孔と、機能部に形成された、操作ワイヤ先端を係止する係止部と、を有し、操作ワイヤ先端と、係止部が着脱可能であることである。
【０００７】
好ましくは、アタッチメントは、機能部にせん断機能を有するアタッチメントと、機能部に保持機能を有するアタッチメントとが相互に取り替え可能であることである。
【０００８】
また好ましくは、長尺柄は、複数の分割された短尺柄からなることにより折り畳みが可能であり、短尺柄の後端の直径は、短尺柄の先端の直径より大きいことである。
【発明の効果】
【０００９】
本発明に係る高枝切鋏は、本体部とアタッチメントに分かれているアタッチメント式高枝切鋏である。操作ワイヤ先端が係止部に係止しており、操作ワイヤ先端と係止部が着脱可能であることから、アタッチメントの交換の際には、容易に操作ワイヤを係止部から外すことができる。
アタッチメントを本体部から外す際には、アタッチメントの落下や接触等により、危険を伴うことがある。弾性手段により本体内部に押し込み可能なストッパが係合孔に嵌まることで、不意にアタッチメントが本体部から外れることを防ぐことができる。
また、アタッチメント装着の際にも、ストッパが係合孔に嵌まることで、本体部とアタッチメントが仮止めされるために、安定して操作ワイヤ先端を係止部に係止させることができる。さらに、ストッパが係合孔に嵌まることで、操作ワイヤ先端と係止部の位置決めが容易になるため、素早く簡単に操作ワイヤ先端を係止部に係止させることができる。
【００１０】
アタッチメントは、機能部にせん断機能を有するアタッチメントと、機能部に保持機能を有するアタッチメントとが相互に取り替え可能であることにより、物を切り保持・移動させる際に、別途マジックハンド等を購入する必要がない。そのため、そのコストや保管場所が節約できる。例えば、人の手では届かないような高所の枝を伐採後、その枝を地上に保持・移動させる際に特に効果的である。
また、高枝切鋏とマジックハンドの長尺状の物を２つ持ち運ぶ場合は、運搬者に負担になるだけでなく、運搬者の周囲と接触の可能性が高まるため、危険が伴うことがある。その際にも、本発明であれば、本体部、せん断機能を有するアタッチメント、保持機能を有するアタッチメントさえ持ち運べばよく、運搬時の安全性も高まる。
【００１１】
さらに、長尺柄が、複数の分割された短尺柄からなることにより折り畳みが可能であれば、長尺状の高枝切鋏をコンパクトに収納することができる。持ち運びの際や保管の際には、大きなスペースを必要としない。そして、短尺柄の後端の直径が、短尺柄の先端の直径より大きければ、隣り合った短尺柄を互いに嵌め込むことができるため、ネジなどの部材を必要とせずに、分割された短尺柄を容易に連結させることができる。
【図面の簡単な説明】
【００１２】
【図１】本発明の第一の実施例におけるアタッチメント式高枝切鋏を示す正面図である。
【図２】（ａ）は、図１におけるアタッチメント式高枝切鋏のアタッチメント付近の拡大図である。（ｂ）は、図２（ａ）におけるストッパ等を示す断面図である。（ｃ）は、図２（ａ）における係止部等を示す側面図である。（ｄ）は、図２（ｃ）において、操作ワイヤが係止部に係止されていない状態を示す図である。
【図３】（ａ）は、図１のアタッチメント式高枝切鋏において、機能部に保持機能を有するアタッチメントを示す正面図である。（ｂ）は、図１のアタッチメント式高枝切鋏において、機能部にせん断機能を有するアタッチメントを示す正面図である。（ｃ）は、図１のアタッチメント式高枝切鋏において、アタッチメントが装着されていない場合の本体部先端付近を示す正面図である。
【図４】（ａ）は、図１のアタッチメント式高枝切鋏の長尺柄を短尺柄に分割した場合の短尺柄の正面図である。（ｂ）は、図４（ａ）における短尺柄の連結を示す正面図である。（ｃ）は、図４（ａ）における折り畳み時の短尺柄を示す正面図である。
【発明を実施するための形態】
【００１３】
本発明の第一の実施例におけるアタッチメント式高枝切鋏の構成を以下に説明する。
【００１４】
図１は、本発明の第一の実施例におけるアタッチメント式高枝切鋏の正面図を示す。図２（ａ）は、図１におけるアタッチメント式高枝切鋏のアタッチメント付近の拡大図を示す。図２（ｂ）は、図２（ａ）におけるストッパ等の断面図を示す。図２（ｃ）は、図２（ａ）における係止部等を示す側面図を示す。図２（ｄ）は、図２（ｃ）において、操作ワイヤが係止部に係止されていない状態の図を示す。図３（ａ）は、図１のアタッチメント式高枝切鋏において、機能部に保持機能を有するアタッチメントの正面図を示す。図３（ｂ）は、図１のアタッチメント式高枝切鋏において、機能部にせん断機能を有するアタッチメントの正面図を示す。図３（ｃ）は、図１のアタッチメント式高枝切鋏において、アタッチメントが装着されていない場合の本体部先端付近の正面図を示す。
【００１５】
図１のアタッチメント式高枝切鋏１００は、本体部１０とアタッチメント５０から構成されている。本体部１０は、長尺柄２０と、操作ハンドル３０と、ストッパ２１と、操作ワイヤ４０を有する。アタッチメント５０は、機能部７０と、アタッチメント柄６０と、係合孔６１と、係止部７１と、キャップ６２を有する。
【００１６】
図１の長尺柄２０は、筒状に形成されている。長尺柄２０の長さを省略して記載しているが、状況にあわせて任意の長さを使用すればよい。長尺柄２０の後端には、操作ハンドル３０が設けられている。また、長尺柄２０の前方付近にはストッパ２１が設けられている。
【００１７】
操作ハンドル３０は、操作ワイヤ４０と連設し、操作ハンドル３０を引くと連動して操作ワイヤ４０も操作ハンドル３０側に引き込まれる。操作ワイヤ４０先端は係止部７１に係止していることから、操作ハンドル３０の操作により機能部７０が開閉するなどの機能を達成することができる。
【００１８】
ストッパ２１は、図２（ｂ）に示すように、弾性手段により本体部１０内部に押し込み可能に形成されている。弾性手段にはバネ２２を使用している。バネの種類は、板バネなど公知のものでよい。弾性手段は、本体部１０内部に設けられており、その弾性力によりストッパ２１を本体部１０外部に押し出している。
ストッパ２１があることにより、アタッチメント式高枝切鋏１００には２つのメリットがある。
１つ目は、アタッチメント５０を本体部１０から外す際、特に、操作ワイヤ４０先端を係止部７１から外す際に、ストッパ２１が係合孔６１に嵌まっていることで、不意にアタッチメント５０が本体部１０から外れることを防ぐことができる。
２つ目は、アタッチメント５０を本体部１０に装着する際、特に、操作ワイヤ４０先端を係止部７１に係止する際に、ストッパ２１が係合孔６１に嵌まることで、本体部１０とアタッチメント５０が仮止めされるため、安定して操作ワイヤ４０先端を係止部７１に係止させることができる。さらに、ストッパ２１が係合孔６１に嵌まることで、操作ワイヤ４０先端と係止部７１の位置決めが容易になるため、素早く簡単に操作ワイヤ４０先端を係止部７１に係止させることができる。
【００１９】
操作ワイヤ４０は、後端に操作ハンドル３０、先端に係止部７１と連設している。操作ワイヤ４０は、剛性の高いものでも良いが、後述する折り畳み機構を利用する場合は、容易に弾性変形をする素材であることが好ましい。操作ワイヤ４０の先端はドーナツ型に形成されており、その中心の孔に、係止部７１の突起が係止している。係止させるための形状の組合せはこれに限らず、操作ワイヤ４０先端がフック型、突起型など、係止部７１がドーナツ型などの組合せも考えられる。
【００２０】
機能部７０は、アタッチメント柄６０と連設している。また機能部７０には、操作ワイヤ４０先端を係止する係止部７１が突起状に形成されている。機能部７０の開閉機能は、ボルト７２を支点にしている。
機能部７０の機能としては、せん断機能と、保持機能が有効である。図３（ｂ）に示すような、せん断機能を有するアタッチメント５０と、図３（ａ）に示すような、前記機能部７０に保持機能を有するアタッチメント５１とが相互に取り替え可能であれば、人の手では届かないような高所の枝を伐採後、その枝を地上に保持・移動させることができ、特に効果的である。機能部７０の形状は、鋏、ラジオペンチ、ニッパ、マジックハンドなど開閉機能がある公知のものであれば限定されずに採用できる。
【００２１】
アタッチメント柄６０は、機能部７０と連設しており、筒状に形成されている。また、アタッチメント柄６０には、ストッパ２１が嵌まる係合孔６１が形成されている。図２（ｂ）に示すように、アタッチメント柄６０の内径は、長尺柄２０の先端の外径よりも大きく、アタッチメント５０装着の際には、長尺柄２０を内包している。
【００２２】
係合孔６１は、アタッチメント柄６０に形成されている。係合孔６１の大きさは、ストッパ２１が嵌まった際にガタツキが生じない程度に、ストッパ２１の外径より大きく形成されていればよい。
【００２３】
係止部７１は、図２（ｃ）、（ｄ）に示すように、突起状に形成されている。また、操作ワイヤ４０先端を係止した場合に、係止部７１を断面きのこ状にすれば、不意に係止状態が解かれないようになる。
【００２４】
また、操作ハンドル３０に力を加えない自然状態において、機能部７０を常に開口状態にしておきたい場合は、機能部７０の背面に開口バネを設け、その弾性力を持って開口状態を保持することができる（不図示）。
【００２５】
キャップ６２はアタッチメント柄６０に形成されており、キャップ６２を回転させることにより、アタッチメント５０共に本体部１０も締め付けることができるため、アタッチメント５０と本体部１０を固定する際に用いることができる。なお、このキャップ６２は本体側に形成されていてもよい。
【００２６】
図４（ａ）は、図１のアタッチメント式高枝切鋏の長尺柄２０を短尺柄に分割した場合の短尺柄の正面図を示す。図４（ｂ）は、図４（ａ）における連結した短尺柄の正面図を示す。図４（ｃ）は、図４（ａ）における折り畳み時の短尺柄の正面図を示す。
【００２７】
図４（ａ）、（ｂ）、（ｃ）に示すように、アタッチメント式高枝切鋏１００の長尺柄２０は、複数の分割された短尺柄２３からなることにより折り畳みが可能となる。短尺柄の後端２４の直径は、短尺柄の先端２５の直径より大きければ、隣り合った短尺柄２３を互いに嵌め込むことができるため、ネジなどの部材を必要とせずに、分割された短尺柄２３を容易に連結させることができる。その際、操作ワイヤ４０が容易に弾性変形をする素材であれば、操作ワイヤ４０が折り畳み時に折り畳み方向と逆方向に反発しにくいので好ましい。
また、最先端の短尺柄２３の先端と、最後端の短尺柄２３の後端又は操作ハンドル３０とに、弾性ワイヤが係止していれば、その弾性ワイヤの弾性力により各短尺柄２３が互いに引き合うことになり、折り畳まれた短尺柄２３を容易に連結し直すことができる（不図示）。その際、弾性ワイヤは、短尺柄２３内部を通せばよい。
【００２８】
次に、本発明の第一の実施例にアタッチメント式高枝切鋏の使用方法を説明する。
【００２９】
本発明の第一の実施例におけるアタッチメント式高枝切鋏１００の使用方法は、従来の高枝切鋏の使用方法と共通している。具体的には、機能部７０がせん断機能の場合は、操作ハンドル３０を握ることで、機能部７０が開閉し、高所の枝などを切ることができる。また、機能部７０が保持機能の場合は、操作ハンドル３０を握ることで、機能部７０が開閉し、物をつかみ、保持又は離すことができる。
【００３０】
次に、本発明の第一の実施例にアタッチメント式高枝切鋏のアタッチメントの交換方法を説明する。
【００３１】
本発明の第一の実施例にアタッチメント式高枝切鋏１００におけるアタッチメント５０を本体部１０から外す方法は、まず、キャップ６２を回転させ、本体部１０とアタッチメント５０の締め付けを緩める。その後、操作ワイヤ４０先端を係止部７１から外す。そして、ストッパ２１を本体部１０内部に押し込みながら、ゆっくりとアタッチメント５０を高枝切鋏の先端方向にずらしていき、アタッチメント５０を本体部１０から外すことで可能となる。
アタッチメント５０の取り付け方法は、まず本体部１０をアタッチメント５０に挿入させ、ストッパ２１と係合孔６１を係合させる。その後、操作ワイヤ４０先端を係止部７１に係止させ、キャップ６２を回転させ、本体部１０とアタッチメント５０を締め付けることで可能となる。
【００３２】
本発明のアタッチメント式高枝切鋏は、従来の高枝切鋏に比べ、交換容易なアタッチメント式に改善させたものであり、コストや保管場所などを節約することができる。また、使用方法も従来の高枝切鋏と共通していることが多く、交換方法も単純化されているため使用者が使用方法を迷うこともほとんどない。これらの点においても、本発明のアタッチメント式高枝切鋏は非常に優れている。
【符号の説明】
【００３３】
１０            本体部
２０            長尺柄
２１            ストッパ
２２            バネ
２３            短尺柄
２４            短尺柄の後端
２５            短尺柄の先端
３０            操作ハンドル
４０            操作ワイヤ
５０            アタッチメント
５１            保持用機能部を有するアタッチメント
６０            アタッチメント柄
６１            係合孔
６２            キャップ
７０            機能部
７１            係止部
７２            ボルト
１００            第一の実施例におけるアタッチメント式高枝切鋏
【要約】
【課題】交換容易なアタッチメント式であり、コストや保管場所などを節約することができるアタッチメント式高枝切鋏を提供する。
【解決手段】本体部には、長尺柄と、前記長尺柄の後端に設けられた操作ハンドルと、
前記長尺柄の前方付近に設けられ、弾性手段により本体部内部に押し込み可能なストッパと、前記操作ハンドルと連設してなる操作ワイヤと、を有し、アタッチメントには、アタッチメント柄に連設された機能部と、前記アタッチメント柄に形成された、前記ストッパが嵌まる係合孔と、前記機能部に形成された、前記操作ワイヤ先端を係止する係止部と、を有し、前記操作ワイヤ先端と、前記係止部が着脱可能とする。
【選択図】図１【図１】
0005719069.tif 000002
【図２】
0005719069.tif 000003
【図３】
0005719069.tif 000004
【図４】
0005719069.tif 000005